(57)【要約】【課題】一体成形の床パンと同様に成形可能でありながらも、分割された床パンの連結部における防水性を向上し得る分割床パンの製造方法及びこの分割床パンの防水構造を提供する。【解決手段】浴槽側の床部１０と洗場側の床部２０との境界部に、これら床部の底部１１，２１から立ち上がるように形成された堰部３を有した浴室床パン１を分割する分割床パン１Ａの製造方法であって、前記堰部の裏面側に設けられた下向き開口の凹所３ａに、嵌込部材６を嵌め入れ、前記堰部の天部４及び嵌込部材を、浴槽側と洗場側とに分断するように切断して浴槽床パン１０Ａと洗場床パン２０Ａとに分割する。【選択図】図１
2015169035.tif 000002
【特許請求の範囲】
【請求項１】
浴槽側の床部と洗場側の床部との境界部に、これら床部の底部から立ち上がるように形成された堰部を有した浴室床パンを分割する分割床パンの製造方法であって、
前記堰部の裏面側に設けられた下向き開口の凹所に、嵌込部材を嵌め入れ、前記堰部の天部及び嵌込部材を、浴槽側と洗場側とに分断するように切断して浴槽床パンと洗場床パンとに分割することを特徴とする分割床パンの製造方法。
【請求項２】
浴槽側の床部と洗場側の床部との境界部に、これら床部の底部から立ち上がるように形成された堰部を有した浴室床パンを分割する分割床パンの製造方法であって、
前記堰部の裏面側に設けられた下向き開口の凹所に、液状樹脂を充填して硬化させ、前記堰部の天部及び硬化させた樹脂を、浴槽側と洗場側とに分断するように切断して浴槽床パンと洗場床パンとに分割することを特徴とする分割床パンの製造方法。
【請求項３】
請求項１または２に記載の分割床パンの製造方法によって分割された浴槽床パンと洗場床パンとの連結部における防水構造であって、
前記浴槽床パン及び前記洗場床パンの互いに対向する連結側面間に防水パッキンを介在させ、この防水パッキン上にシーリング材を充填した構造とされていることを特徴とする分割床パンの防水構造。
【発明の詳細な説明】
【技術分野】
【０００１】
本発明は、浴室の床部を構成する分割床パンの製造方法及びこの分割床パンの防水構造に関する。
【背景技術】
【０００２】
従来より、浴室の床部を構成し、浴槽側の床部と洗場側の床部とを有した浴室床パンが知られている。このような浴室床パンは、防水性や成形性等の観点からは、浴槽側の床部と洗場側の床部とを一体成形した構造とすることが好ましいが、施工現場等によっては、搬入等がし難くなるという問題があった。
例えば、下記特許文献１では、浴槽載置場と洗場とを区画する隔壁の上面に、上方に突出する突条体を設けた構成とされた防水パンが提案されている。また、この特許文献１には、切断して２分割された突条体の切断口を突き合わせて形成された下向き開口の凹溝にパッキン材を充填し、突条体の突き合わせ部位にシリコーンコーキング材を施した構造の開示がある。
【先行技術文献】
【特許文献】
【０００３】
【特許文献１】特開平１１−１７２７３３号公報
【発明の概要】
【発明が解決しようとする課題】
【０００４】
しかしながら、上記特許文献１に記載された防水パンでは、突条体の上面を構成する部位がその両側の部位と同厚さで比較的に薄く、シリコーンコーキング材を充填する部位の深さが浅くなり、更なる改善が望まれる。
【０００５】
本発明は、上記実情に鑑みてなされたものであり、一体成形の床パンと同様に成形可能でありながらも、分割された床パンの連結部における防水性を向上し得る分割床パンの製造方法及びこの分割床パンの防水構造を提供することを目的としている。
【課題を解決するための手段】
【０００６】
上記目的を達成するために、本発明に係る分割床パンの製造方法は、浴槽側の床部と洗場側の床部との境界部に、これら床部の底部から立ち上がるように形成された堰部を有した浴室床パンを分割する分割床パンの製造方法であって、前記堰部の裏面側に設けられた下向き開口の凹所に、嵌込部材を嵌め入れ、前記堰部の天部及び嵌込部材を、浴槽側と洗場側とに分断するように切断して浴槽床パンと洗場床パンとに分割することを特徴とする。
【０００７】
また、上記目的を達成するために、本発明に係る他の分割床パンの製造方法は、浴槽側の床部と洗場側の床部との境界部に、これら床部の底部から立ち上がるように形成された堰部を有した浴室床パンを分割する分割床パンの製造方法であって、前記堰部の裏面側に設けられた下向き開口の凹所に、液状樹脂を充填して硬化させ、前記堰部の天部及び硬化させた樹脂を、浴槽側と洗場側とに分断するように切断して浴槽床パンと洗場床パンとに分割することを特徴とする。
【０００８】
また、上記目的を達成するために、本発明に係る分割床パンの防水構造は、本発明に係るいずれかの分割床パンの製造方法によって分割された浴槽床パンと洗場床パンとの連結部における防水構造であって、前記浴槽床パン及び前記洗場床パンの互いに対向する連結側面間に防水パッキンを介在させ、この防水パッキン上にシーリング材を充填した構造とされていることを特徴とする。
【発明の効果】
【０００９】
本発明に係る分割床パンの製造方法は、上述のような構成としたことで、一体成形の床パンと同様に成形可能でありながらも、分割された床パンの連結部における防水性を向上させることができる。
【図面の簡単な説明】
【００１０】
【図１】（ａ）は、本発明の一実施形態に係る分割床パンの製造方法の工程の一例を模式的に示し、図３に対応させた一部破断概略縦断面図、（ｂ）は、同製造方法によって分割された分割床パンの一例を模式的に示し、（ａ）に対応させた一部破断概略縦断面図である。
【図２】同分割床パンの製造方法の工程の一例を模式的に示し、図３に対応させた一部破断概略縦断面図である。
【図３】同分割床パンを用いた本発明の一実施形態に係る分割床パンの防水構造の一例を模式的に示し、図５におけるＸ−Ｘ線矢視に対応させた一部破断概略縦断面図である。
【図４】同分割床パンを模式的に示す概略斜視図である。
【図５】同分割床パン及び同分割床パンの防水構造を模式的に示す概略平面図である。
【図６】（ａ）は、本発明の他の実施形態に係る分割床パンの製造方法の工程の一例を模式的に示し、図１（ａ）に対応させた一部破断概略縦断面図、（ｂ）は、同製造方法によって分割された分割床パンの一例を模式的に示し、（ａ）に対応させた一部破断概略縦断面図である。
【発明を実施するための形態】
【００１１】
以下に本発明の実施の形態について、図面に基づいて説明する。
図１〜図５は、第１実施形態に係る分割床パンの製造方法及びこの分割床パンの防水構造の一例を模式的に示す図である。
なお、一部の図では、他図に付している詳細な符号の一部を省略している。
また、以下の各実施形態では、本実施形態に係る分割床パンの防水構造が適用される分割床パンを設置した状態を基準として、上下方向等の方向を説明する。
【００１２】
本実施形態に係る分割床パンの製造方法によって分割される浴室床パン１は、図２及び図５に示すように、浴槽側の床部１０と洗場側の床部２０とを一体成形した構成とされている。また、浴室床パン１は、これら浴槽側の床部１０と洗場側の床部２０との境界部に、これら床部１０，２０の底部１１，２１から立ち上がるように形成された堰部３を有している。この浴室床パン１は、分割することなく一体化された状態及び後記するように浴槽床パン１０Ａと洗場床パン２０Ａとに分割された分割床パン１Ａの状態のいずれの状態でも設置可能とされている。
この浴室床パン１の浴槽側の床部１０には、図示は省略しているが、浴槽が設置される。また、浴室床パン１は、当該浴室床パン１の四周端部に沿って立設される壁パネルや天井パネルを備えた、いわゆるユニットバス（システムバス）等の浴室ユニットを構成し、戸建住宅や集合住宅等の建物内の浴室部分に設置される。
【００１３】
この浴室床パン１は、図５に示すように、平面視して略方形状とされている。本実施形態では、平面視して、浴槽側の床部１０と洗場側の床部２０との並設方向を長辺とした略長方形状とされた浴室床パン１を例示している。この浴室床パン１の平面視における外周寸法（浴槽側の床部１０と洗場側の床部２０との並設方向に沿う方向の寸法（幅寸法）及びこれに直交する方向の寸法（奥行寸法））は、建物内の浴室部分の躯体スペースに応じた寸法とされている。この浴室床パン１の外周寸法は、数種類にモジュール化（規格化）された浴室ユニットの寸法に応じた寸法としてもよい。また、平面視して略正方形状とされた浴室床パン１としてもよい。
【００１４】
浴槽側の床部１０及び洗場側の床部２０は、平面視して略方形状とされており、互いに奥行寸法（上記並設方向に直交する方向の寸法）が略同寸法とされている。また、図例では、浴槽側の床部１０の幅寸法（上記並設方向に沿う方向の寸法）を、洗場側の床部２０の幅寸法よりも小さくした例を示しているが、これらの幅寸法を互いに略同寸法としてもよい。
また、これら浴槽側の床部１０及び洗場側の床部２０は、それぞれの底部１１，２１の四周端部に、四周端部から上方に向けて立ち上がるように一体的に形成された立上部１２，１３，２２，２３を設けた構成とされている（図４も参照）。
これら浴槽側の床部１０及び洗場側の床部２０の底部１１，２１は、浴槽が設置される床部となる浴槽側の床部１０の底部１１が、洗場側の床部２０の底部２１よりも下方側に位置する構成とされている（図２参照）。また、これら浴槽側の床部１０及び洗場側の床部２０の立上部１２，１３，２２，２３は、それぞれの上端が略同高さに位置される。つまり、洗場側の床部２０よりも浴槽側の床部１０の深さ（高さ）が大きく形成されている。
【００１５】
また、浴室床パン１の四周端部に位置する立上部１２，２２は、浴室ユニットの四周の壁パネルが設置される壁立上部１２，２２を構成する。これら壁立上部１２，２２は、浴室床パン１の四周端部に沿って略一連状となるように形成されている。
また、これら壁立上部１２，２２の上下方向途中部位には、上方に向き、壁パネルが載置される壁載置部１２ａ，２２ａが設けられている。これら壁立上部１２，２２の壁載置部１２ａ，２２ａは、それぞれの壁載置部１２ａ，２２ａの上面（壁載置部上面）が浴室床パン１の四周端部に沿って略一連状に略同高さに位置するように形成されている。
なお、図４及び図５に示すように、洗場側の床部２０の建具の設置箇所となる部位には、壁立上部２２が設けられておらず、建具の設置部２２ｂとされている。この建具の設置部２２ｂは、建具の設置箇所に応じた位置に設けられる。
【００１６】
また、これら床部１０，２０の互いの境界側に位置する立上部１３，２３は、境界部を構成する堰部３を構成する。
この堰部３は、図２に示すように、各床部１０，２０の境界側の立上部１３，２３と、これらの上端を接続するように略水平に形成され境界部を構成する天部４と、を一体的に形成した構成とされている。
また、この堰部３は、これら立上部１３，２３及び天部４によってその裏面側に下方に向けて開口する凹溝（凹所）３ａを設けた形状とされている。また、堰部３は、浴槽側の床部１０と洗場側の床部２０との境界部に沿うように、浴室床パン１の奥行方向の略全長に亘って延びるように設けられている。なお、この堰部３の天部４は、その長手方向（床パン奥行方向）両端部が長手方向外方側に向かうに従い下方側に傾斜し、上記した壁載置部１２ａ，２２ａに連なり、その両端が壁立上部１２，２２の上側部位に連なるように形成されている（図４参照）。
【００１７】
また、本実施形態では、各床部１０，２０の境界側の立上部１３，２３の互いに対向するように形成された外側面（裏面）は、天部４に向かうに従い互いに近接する側に傾斜する傾斜面とされている。つまり、凹溝３ａの両側壁を構成する立上部１３，２３の外側面が下方に向かうに従い拡開するような傾斜面とされている。
また、本実施形態では、これら立上部１３，２３自体を傾斜状に形成し、それぞれの外側面を上記のような傾斜面としている。つまり、これら立上部１３，２３の内側面（表面）側も同様の傾斜面とされている。
【００１８】
また、この堰部３の裏面には、堰部３の長手方向に厚さ方向を沿わせた複数の縦リブ５が堰部３の長手方向に沿って間隔を空けて設けられている。これら縦リブ５は、堰部３の天部４の下面及び立上部１３，２３の外側面に沿うように一連状に形成されている。また、これら縦リブ５は、堰部３の天部４の下面から下方に向けて突出するように、また、立上部１３，２３の互いに対向するように形成された外側面から対向方向に向けて突出するように形成されている。つまり、これら複数の縦リブ５は、堰部３の裏面側の凹溝３ａを横断するようにそれぞれ設けられている。
また、図例では、これら縦リブ５を、各床部１０，２０の底部１１，２１の下面（裏面）側にも至るように一連状に設けた例を示している。また、この浴室床パン１の裏面には、これら縦リブ５を含み、幅方向及び奥行方向に間隔を空けて複数のリブが略格子状に設けられている（図４参照）。これらリブは、各床部１０，２０の裏面から下方に向けて突出するように設けられている。
【００１９】
また、本実施形態では、この堰部３の天部４の上面側に、天部４を浴槽側と洗場側とに分断するように当該浴室床パン１を切断する際の目印４ａを設けた構成としている。
この目印４ａは、天部４の幅方向（上記並設方向に沿う方向）途中部位に位置するように設けられている。本実施形態では、この目印４ａを、堰部３の長手方向に沿ってライン状に延びる目印溝４ａとしている。図例では、溝長手方向に見て略Ｖ字溝形状とされた目印溝４ａを例示している。この目印溝４ａは、堰部３（浴室床パン１の奥行方向）の全長に亘って設けるようにしてもよい。なお、目印４ａとしては、目印溝４ａに限られず、マーカー等によってライン状にまたは点在状に設けられたものとしてもよく、その他、種々の構成とされたものとしてもよい。
【００２０】
なお、浴室床パン１には、排水トラップ等と連通される排水口や、アジャスターボルト（支持脚）が固定される固定部等が設けられている。
また、浴室床パン１は、合成樹脂系材料や金属系材料等から形成されたものとしてもよい。また、合成樹脂系材料としては、ガラス繊維や炭素繊維、鉱物繊維等の強化繊維を含有した繊維強化合成樹脂系材料（いわゆるＦＲＰ）としてもよい。
【００２１】
本実施形態に係る分割床パンの製造方法は、上記構成とされた浴室床パン１の凹溝３ａに嵌込部材６を嵌め入れ、天部４及び嵌込部材６を、浴槽側と洗場側とに分断するように切断して浴槽床パン１０Ａと洗場床パン２０Ａとに分割する構成とされている。また、本実施形態では、上記のように、目印としての目印溝４ａを、天部４の上面側に設けているので、この目印溝４ａに沿って切断するようにしている。
【００２２】
嵌込部材６は、図１（ａ）及び図２に示すように、堰部３の裏面側の凹溝３ａの形状に応じた中実ブロック状の形状とされている。この嵌込部材６は、堰部３の天部４の厚さ寸法を大きくするように、天部４の下面側に配される構成とされている。この嵌込部材６の天部４の厚さ方向（上下方向）に沿う寸法は、分割された床パン１０Ａ，２０Ａ同士の連結側面１８，２８間に種々の防水部材を効果的に設ける観点等から適宜、設定するようにしてもよい。例えば、この嵌込部材６の上下寸法を、天部４の厚さ寸法以上としてもよい。図例では、この嵌込部材６の上下寸法を、切断部近傍部位の縦リブ５の突出寸法よりも大きい寸法とした例を示している。
【００２３】
また、この嵌込部材６は、堰部３の裏面側に設けられた凹溝３ａの全長に亘って嵌め込まれるように設けられる。
また、この嵌込部材６は、凹溝３ａに嵌め入れられた状態で、凹溝３ａの内周面に対面する外周面が凹溝３ａの内周面に当接または近接対面するように形成されている。つまり、嵌込部材６は、凹溝３ａの内周面を構成する天部４の下面及び各床部１０，２０の立上部１３，２３の外側面にそれぞれ当接または近接対面される上面及びこの上面の幅方向両側に連なるように設けられた両側面を備えている。また、本実施形態では、嵌込部材６は、凹溝３ａの内周面を構成する縦リブ５の厚さ方向両面に当接または近接対面されるリブ側面を備えている。
【００２４】
また、本実施形態では、この嵌込部材６を、縦リブ５によって分断された凹溝３ａの複数の凹所のそれぞれに嵌め込まれる本体部と、これら本体部を連結する連結部７と、を備えた構成とし、本体部間に縦リブ５を受け入れるスリット状の凹部を設けた構成としている。つまりは、複数の本体部をスリット状の凹部を介して連結部７によって連結した構成としている。
この嵌込部材６は、堰部３の長さ寸法に応じた長さ寸法とされた単一のものとしてもよい。これによれば、嵌込部材６の取扱性及び組付作業性を向上させることができる。なお、このような態様に代えて、嵌込部材６を、堰部３の長手方向に複数に分割されたものとしてもよい。この場合は、例えば、嵌込部材６を、縦リブ５によって分断された凹溝３ａの複数の凹所のそれぞれに嵌め込まれる形状とされたものとしてもよい。
【００２５】
また、本実施形態では、嵌込部材６に、後記するように分割された床パン１０Ａ，２０Ａ同士を連結するねじ等の止具１９（図３参照）が捩じ込まれる止着部としての止着プレート２９を埋め込むように設けている。本実施形態では、床パン幅方向に厚さ方向を沿わせた止着プレート２９を、後記するように分断された際に洗場側に位置するように、嵌込部材６に設けた構成としている。この止着プレート２９は、浴槽床パン１０Ａの立上部１３に厚さ方向に貫通して設けられた止具１９の挿通孔１３ａに応じた位置となるように設けられている。このような構成により、浴槽床パン１０Ａの立上部１３の内側面側から挿通孔１３ａを介して止着プレート２９に止着した止具１９によって浴槽床パン１０Ａと洗場床パン２０Ａとが連結される構成とされている。また、浴槽床パン１０Ａと洗場床パン２０Ａとの連結部（継目部）に沿って複数箇所に止具１９が締結され、これら浴槽床パン１０Ａと洗場床パン２０Ａとが連結される構造とされている（図５参照）。
【００２６】
なお、当該嵌込部材６に止具１９の止着が可能な場合には、このような止着プレート２９を設けないようにしてもよい。
また、この嵌込部材６は、上記した浴室床パン１と同様、合成樹脂系材料や金属系材料等から形成されたものとしてもよい。
また、この嵌込部材６は、凹溝３ａの内周面に適宜の接着剤等によって固定するようにしてもよい。この場合、凹溝３ａの内周面と嵌込部材６との間に隙間が形成されないように接着剤を塗布するようにしてもよい。
【００２７】
上記構成とされた嵌込部材６を、図２に示すように、堰部３の凹溝３ａに嵌め入れて固定し、次いで、図１に示すように、天部４及び嵌込部材６を、浴槽側と洗場側とに分断するように切断する。また、このように天部４及び嵌込部材６を切断する際に、上記した縦リブ５も切断するようにしている。本実施形態では、図１に示すように、天部４、縦リブ５及び嵌込部材６を、浴槽側と洗場側とに分断するように、略垂直状（堰部３の天部４の厚さ方向に沿う方向）に切断する構成としている。
この浴室床パン１の切断は、図１（ａ）に示すように、丸鋸等の適宜の切断機２によって切断するようにしてもよい。また、この浴室床パン１の切断は、施工現場への搬送前の工場内等においてなされるものとしてもよく、または、施工現場等においてなされるものとしてもよい。
なお、図例では、堰部３の天部４の幅方向略中央よりも洗場側に寄った部位に沿って切断したような図となっているが、堰部３の幅が狭くなっている排水口周囲の部位においては、堰部３の天部４の幅方向略中央において切断されている（図５参照）。
【００２８】
このように分割された浴槽床パン１０Ａ及び洗場床パン２０Ａの各立上部１３，２３の上端部には、図１（ｂ）に示すように、堰部３の天部４が切断されて連結側（切断側）の端部となる連結側端部１４，２４が形成される。これら連結側端部１４，２４は、各立上部１３，２３の上端部から互いに対向する方向に突出するように設けられており、互いに略同厚さ寸法とされている。
また、このように分割された浴槽床パン１０Ａ及び洗場床パン２０Ａの各立上部１３，２３には、縦リブ５が切断されて、互いに対向する方向に向けて突出し、かつ上下に延びる複数の凸片部１５，２５が形成される。また、これら凸片部１５，２５は、浴槽床パン１０Ａ及び洗場床パン２０Ａの各連結側端部１４，２４の下面及び各立上部１３，２３の外側面から一連状に突出する構成とされている。また、これら凸片部１５，２５は、それぞれの連結側端部１４，２４の先端面（対向する端面）からは対向方向に突出しないような構成とされている。
【００２９】
また、このように分割された浴槽床パン１０Ａ及び洗場床パン２０Ａの連結側端部１４，２４の裏面側（下面側）には、嵌込部材６が切断されて、浴槽側嵌込部１６及び洗場側嵌込部２６が設けられる。また、嵌込部材６の連結部７も同様に切断され、各嵌込部１６，２６の本体部を連結する連結部１７，２７が設けられる。
これら浴槽側嵌込部１６及び洗場側嵌込部２６は、それぞれの連結側端部１４，２４の先端面からは対向方向に突出しないような構成とされている。
つまり、これら浴槽側嵌込部１６及び洗場側嵌込部２６の互いに対向する側面と、それぞれの凸片部１５，２５の先端面と、それぞれの連結側端部１４，２４の先端面とは、略同一平面状とされ、また、互いに略平行状で、それぞれが水平面に対して略垂直面とされている。
また、これら浴槽側嵌込部１６及び洗場側嵌込部２６の互いに対向する側面及び連結側端部１４，２４の先端面が、浴槽床パン１０Ａ及び洗場床パン２０Ａの互いに対向する連結側面１８，２８となる。また、本実施形態では、凸片部１５，２５の先端面も浴槽床パン１０Ａ及び洗場床パン２０Ａの互いに対向する連結側面１８，２８となる構成としている。
【００３０】
本実施形態に係る分割床パンの防水構造は、上記のように分割された浴槽床パン１０Ａと洗場床パン２０Ａとの連結部における防水構造である。また、この分割床パンの防水構造は、図３に示すように、浴槽床パン１０Ａ及び洗場床パン２０Ａの互いに対向する連結側面１８，２８間に防水パッキン８を介在させ、この防水パッキン８上にシーリング材９を充填した構造とされている。
防水パッキン８は、天然ゴムや合成ゴム、独立気泡型の発泡系材料等から形成され、圧縮変形可能とされたものとしてもよい。また、このような基材の裏面に粘着剤が塗布されたものとしてもよい。また、粘着剤を保護する剥離紙（剥離フィルム）等が添着されたテープ状のものとしてもよい。
この防水パッキン８は、浴槽床パン１０Ａと洗場床パン２０Ａとの連結部の全長に亘って設けるようにしてもよい。
【００３１】
また、この防水パッキン８の上下寸法は、防水性等の観点から適宜の寸法としてもよい。図例では、各床パン１０Ａ，２０Ａの連結側端部１４，２４の上下寸法の４倍程度の寸法とした例を示している。また、この防水パッキン８の厚さ寸法（上記並設方向に沿う方向の寸法）は、防水性等の観点から適宜の寸法としてもよい。この防水パッキン８の厚さ寸法は、後記するように床パン１０Ａ，２０Ａ同士が連結された状態で形成される、連結側面１８，２８間の隙間よりも大きい寸法としてもよい。つまりは、この防水パッキン８の厚さ寸法を、床パン１０Ａ，２０Ａ同士が連結された状態で、厚さ方向への圧縮変形を伴い当該防水パッキン８が連結側面１８，２８に弾性的に接触するような寸法としてもよい。
なお、この防水パッキン８は、上記のように浴室床パン１を分割した後で、床パン１０Ａ，２０Ａ同士を連結する前に、浴槽床パン１０Ａの連結側面１８及び洗場床パン２０Ａの連結側面２８のうちの一方に沿って固定（貼着）しておくようにしてもよい。また、この防水パッキン８の固定（貼着）は、施工現場への搬送前の工場内等においてなされるものとしてもよく、または、施工現場等においてなされるものとしてもよい。
【００３２】
シーリング材９は、ペースト状とされたシリコーン系シーラント等の樹脂系シーラントとしてもよい。
このシーリング材９は、後記するように床パン１０Ａ，２０Ａ同士が連結された状態で形成される、連結側面１８，２８間の隙間の略全長に亘って充填するようにしてもよい。また、シーリング材９は、浴槽床パン１０Ａ及び洗場床パン２０Ａの各連結側端部１４，２４の上面から上方に突出しないように充填するようにしてもよい。例えば、シーリング材９を、その上面が各連結側端部１４，２４の上面と略同一平面状または各連結側端部１４，２４の上面よりも僅かに下側位置となるように充填するようにしてもよい。図例では、上記のように設けられた防水パッキン８の上面から各連結側端部１４，２４の上面と略同一平面状となるようにシーリング材８を充填した例を示している。つまり、防水パッキン８は、このシーリング材９のバックアップ材として機能する構成とされている。
【００３３】
上記構成とされた分割床パン１Ａは、以下のように施工するようにしてもよい。
まず、洗場床パン２０Ａを設置する。この際、洗場床パン２０Ａのアジャスターボルトを調整し、洗場床パン２０Ａの上下のレベル調整を行うようにしてもよい。
次いで、浴槽床パン１０Ａを設置する。この際、各床パン１０Ａ，２０Ａの奥行方向両側面（壁立上部１２，２２の外側面）が略同一平面状となるように、適宜、位置調整するようにしてもよい。また、この際、各床パン１０Ａ，２０Ａの連結側端部１４，２４の上面が略同一平面状となるように、適宜、位置調整するようにしてもよい。例えば、浴槽床パン１０Ａのアジャスターボルトを調整し、浴槽床パン１０Ａの上下のレベル調整を行うようにしてもよい。
【００３４】
そして、浴槽床パン１０Ａの立上部１３を、上記のように、止具１９によって洗場側嵌込部２６の止着プレート２９に締結して固定する。この際、各床パン１０Ａ，２０Ａの連結側面１８，２８間にシーリング材充填用の所定の隙間が形成されるように連結するようにしてもよい。この場合、適宜の厚さ寸法とされたプレート状のスペーサー材を、各床パン１０Ａ，２０Ａの連結側面１８，２８間に介在させるようにしてもよく、または、上記隙間の確保が可能な連結金具等によって連結する態様としてもよい。
このように床パン１０Ａ，２０Ａ同士を連結した状態では、上記した防水パッキン８が、連結側面１８，２８間に床パン奥行方向の略全長に亘って形成された隙間の底部を形成するように隙間の略全長に亘って配される。
【００３５】
そして、この防水パッキン８上に、上記のようにシーリング材９を充填するようにしてもよい。この際、シーリング材９を、隙間の幅方向両側の各床パン１０Ａ，２０Ａの連結側端部１４，２４の上面に、適宜、マスキングテープ（養生テープ）を隙間の全長に亘って貼着した状態で充填するようにしてもよい。
また、各床パン１０Ａ，２０Ａの連結側端部１４，２４の隙間長手方向に沿う両端部に連なるように設けられた壁載置部１２ａ，２２ａから上方に突出する壁立上部１２，２２の上側部位間の隙間にも一連状にシーリング材９を充填するようにしてもよい。この場合は、壁立上部１２，２２の上側部位の裏面（外側に向く面）に、これらの間の隙間を塞ぐように、アルミテープ等のテープを貼着するようにしてもよい。
【００３６】
なお、上記のように、シーリング材９を連結側面１８，２８間に充填し、さらに、浴槽床パン１０Ａ及び洗場床パン２０Ａの各連結側端部１４，２４の上面に跨るようにシーリング材９を覆う防水テープを隙間の略全長に亘って貼着した構造としてもよい。このような防水テープとしては、薄いシート状（フィルム状）とされ、ポリエチレンやＥＶＡ（エチレンー酢酸ビニル共重合樹脂）等の合成樹脂系材料からなる基材の裏面に粘着剤が塗布された粘着テープ等としてもよい。
また、各床パン１０Ａ，２０Ａの連結側端部１４，２４の上面及びシーリング材９の上面、並びに堰部の幅方向両側部となる各床パン１０Ａ，２０Ａの立上部１３，２３の少なくとも上側部位の内側面（表面）を覆うカバーを設けた構造としてもよい。
【００３７】
また、上記施工手順は、一例に過ぎず、適宜の手順で施工するようにしてもよい。
また、上記した例では、洗場床パン２０Ａに固定された洗場側嵌込部２６に対して、浴槽床パン１０Ａの立上部１３を止具１９によって締結し、浴槽床パン１０Ａと洗場床パン２０Ａとを連結する構造としたが、このような態様に限られない。例えば、このような態様に代えて、浴槽床パン１０Ａに固定された浴槽側嵌込部１６に対して、洗場床パン２０Ａの連結側部としての立上部２３を止具１９によって締結し、浴槽床パン１０Ａと洗場床パン２０Ａとを連結する構造としてもよい。
【００３８】
本実施形態に係る分割床パンの製造方法は、上述のような構成としたことで、一体成形の床パンと同様に成形可能でありながらも、分割された床パン１０Ａ，２０Ａの連結部における防水性を向上させることができる。
つまり、上記のように、一体成形された浴室床パン１を、浴槽床パン１０Ａと洗場床パン２０Ａとに分割することで、一体化された床パンと比べて小型化を図ることができ、取り扱い性を向上させることができる。これにより、特に搬入口が狭小となる傾向のある集合住宅等のリフォーム用としても好適なものとなる。
【００３９】
また、堰部３の裏面側に設けられた下向き開口の凹所としての凹溝３ａに、嵌込部材６を嵌め入れ、堰部３の天部４及び嵌込部材６を、浴槽側と洗場側とに分断するように切断して浴槽床パン１０Ａと洗場床パン２０Ａとに分割する構成としている。従って、一体の浴室床パン１とこれを分割した浴槽床パン１０Ａ及び洗場床パン２０Ａを備えた分割床パン１Ａとを、共通の金型を用いて成形することができ、例えば、浴槽床パンと洗場床パンとを個別に成形するようなものと比べて、成形性を向上させることができる。また、堰部３の裏面側に嵌込部材６を嵌め込んで分割する構成としているので、浴槽床パン１０Ａ及び洗場床パン２０Ａの互いに対向する連結側面１８，２８の上下寸法を効果的に大きくすることができる。これにより、これら連結側面１８，２８間に、防水パッキン８やシーリング材９等の種々の防水部材を設け易くなり、防水性の向上が可能な分割床パン１Ａを効率的に製造することができる。また、例えば、堰部の上面側に、突条体を設けたようなものと比べて、堰部３の平坦な上面を幅広にすることができる。これにより、分割された床パン１０Ａ，２０Ａ同士の連結側面１８，２８間にシーリング材９を充填した後に、例えば、防水テープを貼着する際における貼着性を向上させることができ、防水性をより向上させることができる。
【００４０】
また、浴室床パン１を、各床部１０，２０の底部１１，２１から立ち上がる境界部としての堰部３の天部４において分割する構成としている。従って、分割された床パン１０Ａ，２０Ａ同士の継目部が各床パン１０Ａ，２０Ａの底部１１，２１から立ち上がった部位に形成されることとなり、継目部における防水性をより向上させることができる。
また、本実施形態では、境界部としての天部４の上面側に、天部４を浴槽側と洗場側とに分断するように浴室床パン１を切断する際の目印４ａを設けた構成としている。従って、切断する際における作業性を向上させることができる。なお、このような目印４ａを設けないようにしてもよい。
【００４１】
また、本実施形態に係る分割床パンの防水構造は、浴槽床パン１０Ａ及び洗場床パン２０Ａの互いに対向する連結側面１８，２８間に防水パッキン８を介在させ、この防水パッキン８上にシーリング材９を充填した構造としている。従って、上記のように、上下に比較的に大きくなる、床パン１０Ａ，２０Ａ同士の連結側面１８，２８間に防水パッキン８とシーリング材９とを効果的に設けることができ、防水性を向上させることができる。なお、本実施形態に係る分割床パンの製造方法によって分割された分割床パン１Ａの防水構造としては、このような構造に限られず、その他、種々の複数構造の防水構造を構築することが可能である。
【００４２】
次に、本発明に係る他の実施形態について、図面を参照しながら説明する。
図６は、第２実施形態に係る分割床パンの製造方法の一例を模式的に示す図である。
なお、上記第１実施形態との相違点について主に説明し、同様の構成については、同一の符号を付し、その説明を省略または簡略に説明する。
【００４３】
本実施形態では、図６に示すように、堰部３の裏面側の凹溝３ａに、液状樹脂３０を充填して硬化させ、天部４及び硬化させた樹脂３１を、浴槽側と洗場側とに分断するように切断して浴槽床パン１０Ｂと洗場床パン２０Ｂとに分割する構成としている。
つまり、上記した嵌込部材６に代えて、凹溝３ａに液状樹脂３０を充填し、堰部３の天部４の厚さ寸法を大きくする構成としている。
この液状樹脂３０を充填する際には、図６（ａ）に示すように、浴室床パン１の上下を反転させ、凹溝３ａを上向きに開口させた状態で、適宜の液状樹脂充填機３６によって充填するようにしてもよい。また、この液状樹脂３０は、浴槽側の床部１０の立上部１３に、挿通孔１３ａを設ける前に充填するようにしてもよく、または、液状樹脂３０が漏れ出ないように挿通孔１３ａを適宜のフィルム等によって塞いだ状態で充填するようにしてもよい。
【００４４】
この液状樹脂３０としては、例えば、主成分としてエポキシ樹脂系やウレタン樹脂系、アクリル樹脂系、シリコーン樹脂系などの樹脂を含む樹脂組成物等としてもよく、また、主成分に、適宜の硬化剤などを配合した２液常温硬化型の樹脂組成物等としてもよい。
また、この液状樹脂３０の充填量は、硬化した樹脂（樹脂硬化層）３１の上下寸法が上記第１実施形態と同様の観点等から適宜の寸法となるように設定するようにしてもよい。例えば、樹脂硬化層３１の上下寸法が天部４の厚さ寸法以上となるように液状樹脂３０を充填するようにしてもよい。図例では、この樹脂硬化層３１の上下寸法を、天部４の下面（充填する際における上面）から洗場側の床部２０の底部２１の上面（充填する際における下面）までの上下方向に沿う寸法と略同寸法とした例を示している。また、図例では、縦リブ５を超えないように液状樹脂３０を充填した例を示している。つまりは、縦リブ５によって分断された凹溝３ａの複数の凹所のそれぞれに液状樹脂３０を充填した例を示している。なお、このような態様に代えて、縦リブ５の下端（充填する際における上端）を超えるように液状樹脂３０を充填するようにしてもよい。
【００４５】
また、本実施形態では、樹脂硬化層３１内に、上記同様の止着プレート２９Ａを埋め込むように設けている。この止着プレート２９Ａは、適宜の位置となるように液状樹脂３０を充填する前に位置決めして設けておくようにしてもよく、または、液状樹脂３０が未硬化の状態で埋め込むような態様等としてもよい。なお、樹脂硬化層３１に止具１９（図３参照）の止着が可能な場合には、このような止着プレート２９Ａを設けないようにしてもよい。
液状樹脂３０が硬化した樹脂硬化層３１は、堰部３の裏面側の凹溝３ａの内周面に沿うように固定された状態となる。
このように液状樹脂３０が硬化すれば、上記第１実施形態と概ね同様にして、天部４及び樹脂硬化層３１を、浴槽側と洗場側とに分断するように切断する。
このように分割された浴槽床パン１０Ｂ及び洗場床パン２０Ｂの連結側端部１４，２４の裏面側（下面側）には、図６（ｂ）に示すように、樹脂硬化層３１が切断されて、浴槽側樹脂層３２及び洗場側樹脂層３４が設けられる。これら浴槽側樹脂層３２及び洗場側樹脂層３４の互いに対向する側面が、上記第１実施形態と概ね同様、連結側端部１４，２４の先端面及び凸片部１５，２５の先端面の一部とともに、浴槽床パン１０Ｂ及び洗場床パン２０Ｂの互いに対向する連結側面３３，３５となる。
【００４６】
上記のように本実施形態に係る分割床パンの製造方法よって分割された分割床パン１Ｂは、上記第１実施形態と同様にして互いに連結し、施工するようにしてもよい。また、図示は省略しているが、この分割床パン１Ｂに、上記第１実施形態と同様の分割床パンの防水構造の適用が可能である。
また、上記構成とされた本実施形態に係る分割床パンの製造方法によれば、上記第１実施形態と概ね同様の効果を奏する。また、上記第１実施形態と比べて、堰部３の裏面側の凹所３ａに充填される材を、凹所３ａの内周面に容易かつ効果的に密着させることができ、防水性をより向上させることができる。
【００４７】
なお、上記各実施形態では、分割されて一方の床パン２０Ａ（２０Ｂ）側に設けられた嵌込部材６（樹脂硬化層３１）に、止具１９を止着し、他方の床パン１０Ａ（１０Ｂ）を連結する構造とした例を示しているが、このような態様に限られない。例えば、嵌込部材６（樹脂硬化層３１）とは別途に設けられた適宜の連結金具によって分割された床パン１０Ａ，２０Ａ（１０Ｂ，２０Ｂ）同士を連結する態様としてもよく、その他、種々の連結構造の採用が可能である。
【符号の説明】
【００４８】
１              浴室床パン
１Ａ，１Ｂ      分割床パン
３              堰部
３ａ            凹溝（凹所）
４              堰部の天部
６              嵌込部材
８              防水パッキン
９              シーリング材
１０            浴槽側の床部
１０Ａ，１０Ｂ  浴槽床パン
１１            底部
１８，３３      連結側面
２０            洗場側の床部
２０Ａ，２０Ｂ  洗場床パン
２１            底部
２８，３５      連結側面
３０            液状樹脂
３１            樹脂硬化層（硬化させた樹脂）
【図１】
2015169035.tif 000003
【図２】
2015169035.tif 000004
【図３】
2015169035.tif 000005
【図４】
2015169035.tif 000006
【図５】
2015169035.tif 000007
【図６】
2015169035.tif 000008